(57)【要約】      （修正有）【課題】虫取りシートを連続して設置できる虫取りシートケースを提供する。【解決手段】虫取りシートケース本体１の内部に、虫取りシート収納部を備え、虫取りシート収納部に、虫取りシート５を複数枚収納する。虫取りシートケース本体の上部には、引き出し口が設けており、虫取りシートを虫取りシート収納部から引き出して、連続して設置できる構造になっている。虫取りシートのつまみ部１０を引き起こし、虫取りシート収納部から、虫取りシートをつまみあげて引き出すと、虫取りシートの折込部が、内側に折り込まれながら一定の高さになり、土台となる。虫取りシートの両端には、係合部８の穴が空いており、虫取りシートケースの係止部３の爪に引っ掛かって、虫取りシートを一定の高さで固定し、装着する構造になっている。【選択図】図２
2018186798.tif 000002
【特許請求の範囲】
【請求項１】
虫取りシートケース本体の内部に、虫取りシート収納部を備え、虫取りシート収納部に、虫取りシートを複数枚収納し、虫取りシートケース本体の上部には、引き出し口を設けており、虫取りシートを、虫取りシート収納部から引き出して、連続して設置できる事を特徴とする虫取りシートケース
【請求項２】
虫取りシートのつまみ部を引き起こし、虫取りシート収納部から、虫取りシートをつまみあげて引き出すと、虫取りシートの折込部が、内側に折り込まれ、一定の高さの土台となり、虫取りシートの両端には、係合部の穴が空いており、虫取りシートケースの係止部の爪に引っ掛かって、虫取りシートを一定の高さで固定し、装着する事を特徴とする請求項１記載の虫取りシートケース
【発明の詳細な説明】
【技術分野】
【０００１】  本考案は、コバエやハエ等の飛翔する虫を、粘着する面を備える紙シートで捕獲する、虫取りシートに関する。
【背景技術】
【０００２】  従来の虫取りシートとしては、紙のシートの片面、あるいは両面に粘着面を備え、その粘着面にて飛翔する虫を捕獲する虫取りシートがある。【０００３】  一方で、虫取りシートは消耗品であり、一定期間使用した虫取りシートは、粘着面の劣化、付着したゴミや虫の死骸等で衛生面にも不安が残る。【０００４】  その為、定期ごとに虫取りシートの交換が必要であるが、新しい虫取りシートを用意するには、虫取りシート用の保管場所も必要である。【０００５】  また、水気の多い台所に虫取りシートを設置する場合には、虫取りシートの水濡れにも注意が必要である。【０００６】  虫取りシートは、紙製のシートである為、水に濡れると耐久性が落ちるだけでなく、粘着面の劣化もする。
【発明の開示】
【発明が解決しようとする課題】
【０００７】  虫取りシートを連続して設置できる虫取りシートケースを考案する。
【課題を解決する為の手段】
【０００８】  虫取りシートケース本体１の内部に、虫取りシート収納部２を備え、虫取りシート収納部２に、虫取りシート５を複数枚収納する。虫取りシートケース本体１の上部には、引き出し口が設けており、虫取りシート５を虫取りシート収納部２から引き出して、連続して設置できる構造になっている。虫取りシート５のつまみ部１０を引き起こし、虫取りシート収納部２から、虫取りシート５をつまみあげて引き出すと、虫取りシート５の折込部９が、内側に折り込まれながら一定の高さになり、土台となる。虫取りシート５の両端には、係合部８の穴が空いており、虫取りシートケース１の係止部３の爪に引っ掛かって、虫取りシート５を一定の高さで固定し、装着する構造になっている。
【発明の効果】
【０００９】  本考案の虫取りシートケース本体１の特徴としては、虫取りシートケース１本体が、複数枚の虫取りシート５を収納しつつ、更に虫取りシート５を連続して引き出せて、装着できる構造になっている事である。
【００１０】  従来の虫取りシートでは、虫取りシート単体で設置するため、別の虫取りシートを持っている場合、別の虫取りシートの保管場所が必要になってくるが、本考案の虫取りシートケースでは、虫取りシートケース本体１の内部に、虫取りシート５の収納スペースを設けてある為、必要に応じて、虫取りシート収納部２から虫取りシート５を引き出し、虫取りシート５の交換ができる。
【００１１】  虫取りシートケース１の上部の引き出し口から、虫取りシート５のつまみ部１０をつまみあげて、虫取りシート５を引き出すと、虫取りシート５の折込部９が、内側へと折込まれ、一定の高さで土台となり、虫取りシートケース１の上部に装着される。
【００１２】  （００１１）により、虫取りシートケース１から、常に一定の高さを保ちながら虫取りシート５を設置できる。
【００１３】  虫取りシートケース本体１を、水に強いプラスチック製や樹脂製にする事で、台所やトイレ等の水気の多い場所にも、虫取りシートケース本体１を設置できる。
【発明を実地する為の最良の形態】
【００１４】  まず、虫取りシートケース本体１を設置する場所としては、ハエやコバエの発生しやすい場所が良い。家庭用としては、台所の流し台や、ゴミ箱周辺、トイレ、リビング、業務用としては、食品工場の出入り口、スーパーや百貨店の惣菜食品コーナー、廃棄コーナー、トイレ等が考えられる。
【００１５】  いずれの場所でも、ハエやコバエが匂いに釣られて外部から進入してくるケースがほとんどであるが、水気の多い場所や、残飯を捨てる場所では、ハエやコバエの発生源にもなるので、注意が必要である。
【００１６】  虫取りシートケース本体１を設置する方法としては、いくつかの手段がある。平坦な場所にそのまま平面にして置く、あるいは縦に置く方法と、壁に設置する方法がある。壁に設置する場合には、虫取りシートケース本体１の側面にある固定用穴４を用い、虫取りシートケース本体１を、フックやピン等で縦や横に吊り下げる必要がある。
【００１７】  虫取りシートケース本体１に虫取りシート５を装着するには、虫取りシートケース本体１の上部の引き出し口から、虫取りシート５のつまみ部１０を引き起こし、虫取りシート収納部２から、虫取りシート５をつまみあげて引き出す。
【００１８】  虫取りシート５を引き出すと同時に、虫取りシート５の折込部９が、内側に折り込まれ、一定の高さの土台となる。虫取りシート５の両端には、係合部８の穴が空いており、虫取りシートケース本体１の係止部３の爪に引っ掛かって、虫取りシート５を一定の高さに固定し、装着される。
【００１９】  虫取りシート５から、表面にある剥離紙６を剥がし、粘着面７を露出する事で、虫取りシート５の設置は完了となる。
【００２０】  虫取りシート５を設置して一定期間がすぎる、あるいは、粘着面７に虫やゴミが大量に付く等して、虫取りシート５が劣化した場合には、虫取りシート５のつまみ部１０をつまみ、虫取りシートケース本体１から、劣化した虫取りシート５を引き離し、虫取りシート収納部２から新たな虫取りシート５を引き出し、装着すればよい。
【００２１】  虫取りシートケース本体１の上部に蓄光シートを貼っても良い。ハエやコバエは光に集まりやすい習性があるため、特に蛍光灯の光などが消える夜間に効果を発揮する。
【００２２】  虫取りシート５の紙シートの表面の色は、ハエやコバエの好む黄色、もしくはオレンジ色が良い。
【００２３】  虫取りシート５の紙シートの表面に、ハエやコバエの好む匂いを付けても良い。
【図面の簡単な説明】
【００２４】
【図１】  虫取りシートケースを示した側面断面図である。
【図２】  虫取りシートケースに虫取りシートを設置した状態を示した側面断面図である。
【図３】  虫取りシートケースに虫取りシートを設置した状態を示した上面図である。
【図４】  虫取りシートを示した上面図である。
【符号の説明】
【００２５】１  虫取りシートケース本体
２  虫取りシート収納部
３  係止部
４  固定用穴
５  虫取りシート
６  剥離紙
７  粘着面
８  係合部
９  折込部
１０  つまみ部
【図１】
2018186798.tif 000003
【図２】
2018186798.tif 000004
【図３】
2018186798.tif 000005
【図４】
2018186798.tif 000006